(57)【特許請求の範囲】
【請求項１】
移動部材を、該移動部材を支持する固定台座に対して所定の位置に位置保持させる、回動軸を中心として回動可能に設けられた回動部材の位置保持装置において、前記回動軸を所定の角度まで回動する付勢部材と、前記回動軸を前記所定の角度で保持する位置保持部材とを備え、前記回動部材が当接部と、この当接部を前記回動軸に一体に連結する支持腕部とからなり、前記位置保持装置を移動部材または固定台座に装着して前記当接部を固定台座または移動部材に当接させ、前記支持腕部を支持体として前記移動部材を前記固定台座に対して所定の角度位置に保持するように構成され、前記回動部材は前記所定角度に回動する回動方向と逆方向に回動させると緩衝作用を有するダンパー部材を具備していることを特徴とする回動部材の位置保持装置。
【請求項２】
前記当接部に摺接部材を外挿し、前記回動軸と同軸に設けた固定軸を中心として回動自在な第２の支持腕部を前記摺接部材に連結して回動部材を構成したことを特徴とする請求項１記載の回動部材の位置保持装置。
【請求項３】
前記回動部材を合成樹脂で一体に構成したことを特徴とする請求項２記載の回動部材の位置保持装置。
【請求項４】
前記位置保持部材が、前記回動軸とともに旋回する大径円柱側面に、この大径円柱の中心方向に弾性付勢されて貫通長溝内を案内される小径円柱の側面を陥入させる係止溝を設けて構成されていることを特徴とする請求項１から３のいずれかに記載の回動部材の位置保持装置。
【請求項５】
前記ダンパー部材は、円筒内壁に摺接して旋回する可動バルブを備えたベーンを突出させたローターからなり、この可動バルブの受圧面を外周から中心に向けて、前記ベーンの前面に近付く方向に僅かに内向きの傾斜を設けたことを特徴とする請求項１から４のいずれかに記載の回動部材の位置保持装置。
【請求項６】
回動軸を中心として回動可能に設けられた回動部材と、前記回動軸を所定の角度まで回動する付勢部材と、前記回動軸を前記所定の角度で保持する位置保持部材とを備え、前記回動部材が前記回動軸と平行に延在する当接部と、この当接部を前記回動軸に一体に連結する支持腕部と、前記当接部に摺接部材を外挿する一方、前記回動軸と同軸に設けた固定軸を中心として回動自在な第２の支持腕部を前記摺接部材に連結した回動部材を合成樹脂で構成し、前記回動部材は前記所定角度に回動する回動方向と逆方向に回動させると緩衝作用を有するダンパー部材を具備した回動部材の位置保持装置を、便器に回動可能に支持された温水洗浄便座に装着し、前記当接部を前記便器の周壁上面に当接して、前記温水洗浄便座を前記便器から所定量回動させた位置で保持するようにした回動部材の位置保持装置を装着した便器。
【発明の詳細な説明】
【０００１】
【発明の属する技術分野】
本発明は、係止手段とダンパー手段とを含む回動部材の構成に係わり、より具体的には温水洗浄便座取付部の移動機構に関する。
【０００２】
【従来の技術】
温水洗浄便座は便器本体の後部上面に設置されるが、温水洗浄便座と便器本体の後部上面との隙間は男性の小便や洗浄汚水の飛散で汚染される。衛生上この部位の清掃は欠くべからざるものであるが、そのためには清掃のたびに重量のある温水洗浄便座を取り外さなくてはならない。そこで取外しが容易に行えるように、便器に取付プレートを固定し、この取付プレートに温水洗浄便座をフックにより取外し可能なようにしたものがある。
【０００３】
また、特開平８−３０８７７０号では、便器本体の後部上面に設置した温水洗浄便座取付部の後部側に便座取付部のヒンジを設けて、このヒンジを上下方向に移動自在とし、清掃時にはこのヒンジを上方位置に移動して温水洗浄便座と便器本体後部上面との間に空間を形成する技術を開示している。
【０００４】
【発明が解決しようとする課題】
しかしながら、温水洗浄便座は洗浄装置として様々な付属部材を装備するため相当な重量と大きさになることは避けられない。そのため、この着脱のために人力で上げ下げするのは相当な労力を要する作業になる。また、非力であったり狭隘な作業空間のために、無理な姿勢から重量を支えきれずに落下させて部材を損傷する危険性がある。
【０００５】
その上、温水洗浄便座と便器との着脱には所定の手順をふまねばならないから操作が面倒なこともある。さらには、接続されている給水パイプやホースが邪魔になったり、このパイプやホースを破損する可能性がある。しかも、便器と取付プレートとの間は依然として清掃不能の場所として残る。
【０００６】
そこで本発明の第１の目的は、温水洗浄便座を回動させて保持することによって、着脱の手間をなくし、給水配管が障害とならず、温水洗浄便座と便器本体後部上面との間に清掃のための空間が形成できるようにする装置の提供である。
【０００７】
また本発明の第２の目的は、温水洗浄便座と便器本体後部上面との間に、容易に清掃が行える空間を多くの労力を要せずに簡単に設けることができ、かつ清掃後は迅速に用便可能な状態に復帰できる便器を提供することである。
【０００８】
【課題を解決するための手段】
上記の目的を達成するために、本発明は、移動部材を、該移動部材を支持する固定台座に対して所定の位置に位置保持させる、回動軸を中心として回動可能に設けられた回動部材の位置保持装置において、前記回動軸を所定の角度まで回動する付勢部材と、前記回動軸を前記所定の角度で保持する位置保持部材とを備え、前記回動部材が当接部と、この当接部を前記回動軸に一体に連結する支持腕部とからなり、前記位置保持装置を移動部材または固定台座に装着して前記当接部を固定台座または移動部材に当接させ、前記支持腕部を支持体として前記移動部材を前記固定台座に対して所定の角度位置に保持するようにした。
しかも、前記回動部材は前記所定角度に回動する回動方向と逆方向に回動させると緩衝作用を有するダンパー部材を具備していて、このダンパー部材は、円筒内壁に摺接して旋回する可動バルブを備えたベーンを突出させたローターからなり、この可動バルブの受圧面を外周から中心に向けて、前記ベーンの前面に近付く方向に僅かに内向きの傾斜を設けた。
【０００９】
また、前記当接部に摺接部材を外挿し、前記回動軸と同軸に設けた固定軸を中心として回動自在な第２の支持腕部を前記摺接部材に連結して回動部材を構成した。そして、前記摺接部材および第２の支持腕部とを合成樹脂で一体に構成した。前記回動部材は合成樹脂で一体に構成してもよい。
【００１０】
さらに前記位置保持部材は、前記回動軸とともに旋回する大径円柱側面に、この大径円柱の中心方向に弾性付勢されて貫通長溝内を案内される小径円柱の側面を陥入させる係止溝を設けて構成されている（なお、この係止溝は、例えば断面が半円形、又は矩形（凹形状）でもよく、小径円柱の概ね半分が陥入する程度であることが好ましい）。
【００１２】
上記したような回動部材の位置保持装置を、便器に回動可能に支持された温水洗浄便座に装着し、前記当接部を前記便器の周壁上面に当接して、前記温水洗浄便座を前記便器から所定量回動させた位置で保持するようにした。
【００１３】
なお、前記位置保持部材は、前記回動軸とともに旋回する円柱形保持器の外径面に、少なくとも１ヶ以上のバネ部材によって弾性付勢されて、長溝内を保持器の中心方向に案内されるローラーの半面を、陥入させる断面が半円形の溝を設けて構成してもよい。
【００１４】
また、前記ダンパー部材は、ダッシュポット式オイルダンパーよりなり、円筒内壁に摺接して旋回する可動バルブを備えたベーンを突出させたローターから構成され、この可動バルブの受圧面を外周から中心に向けて、前記ベーンの前面に近付く方向に僅かに内向きの傾斜を設けることにより、前記可動バルブは、旋回によってオイルから受ける圧力で、ベーン前面を密着するために移動するとともに、受圧面の傾斜によって生じる外向きの分力により、円筒内壁に圧接する方向にも移動するようにしてもよい。
【００１５】
更に、回動軸を中心として回動可能に設けられた回動部材と、前記回動部材を所定の角度まで回動するバネ部材と、前記回動部材を前記所定の角度で保持する位置保持部材とを備え、前記回動軸と一体に連結する支持腕部を持つ回動部材を合成樹脂で構成し、前記回動部材は、前記所定角度に回動する回動方向と逆方向に回動させると緩衝作用を有するダンパー部材を具備した位置保持装置を、便器に対して回動可能に支持された温水洗浄便座に装着し、前記回動部材の端面当接部を前記便器の周壁上面に当接して、前記温水洗浄便座を前記便器から所定量回動させた位置で保持するようにして腰掛便器を構成してもよい。
【００１６】
【発明の実施の形態】
以下に本発明に係わる回動部材の位置保持装置の実施の形態を図面に基づいて説明する。図１は本発明に係わる回動部材の位置保持装置１０の一実施例を示す平面図、図２は位置保持部材１２の構成を示す図１の２−２線に沿った断面図、図３はダンパー部材１４の構成を示す図１の３−３線に沿った断面図である。
【００１７】
この実施例では、本体ハウジング１６は角柱状の外形をなし、バネケース１８、保持部材ケース２０およびダンパーケース２２の３部分からなる。それぞれのケース１８，２０，２２は、それぞれ回動軸２４に連設された機能部材を回動可能に嵌装する円筒状の内室を備える。また、保持部材ケース２０およびダンパーケース２２から外方に取付座２６を突出させてそれぞれに取付孔２８が設けられている。
【００１８】
回動軸２４は棒鋼材の一部を圧延して平板状に成形し、各機能部材を回り止めして固定する。この回動軸２４を形成する棒鋼材の平板状部分３０から延在する部分を直角に屈曲させて第１支持腕部３２を形成し、さらに第１支持腕部３２から直角に屈曲させて回動軸２４と平行な当接部３４を形成する。すなわち回動軸の平板状部分３０、第１支持腕部３２および当接部３４は１本の棒鋼材から形成されている。
【００１９】
３６は当接部３４に外挿された摺接部材で、中央部近傍から直角に第２支持腕部３８が延在し、摺接部材３６と第２支持腕部３８とは合成樹脂で一体成形される。第２支持腕部３８は、位置保持装置１０の本体ハウジング１６から回動軸２４と同一軸線上に突出する固定軸４０に回動自在に支持されている。回動軸の平板状部分３０に連設される第１支持腕部３２、第２支持腕部３８および摺接部材３６を含む当接部３４で回動部材４２を構成する。
【００２０】
図４は別の実施例による回動部材４３を備えた位置保持装置１１であって、第１支持腕部３３、第２支持腕部３９および当接部３５をすべて合成樹脂で一体成形したもので、各機能部材と回動部材４３とを接続する回動軸２５には平板状部分３１が形成されている。必要に応じて、２点鎖線で示したリブ３７を設けてもよい。これにより、錆が発生し易く、原価が高くなる金属部分が少なくなり、外観も向上できるから、水回りに使用する家庭用品としては好適になる。その他の部材は上記した実施例と全く同様であるから同一の符号で示してある。
【００２１】
バネケース１８には捩じりコイルバネの一端部４５が係止され、他端部４６は回動軸の平板状部分３０に嵌挿して固定された大径円柱からなる位置保持部材１２に係合されており回動軸２４の付勢部材として機能する。位置保持部材１２は保持部材ケース２０の軸受内壁４８の内面に大径円柱の外周側面５０を摺接させて嵌装され回動自在に軸支されている。バネケース１８、保持部材ケース２０およびダンパーケース２２は連結ネジ１９により同心に結合されている。１７は連結ネジ１９のネジ孔である。
【００２２】
保持部材ケース２０は、軸受内壁４８の外周を囲む保持部材ケース外壁５２との中間に、中央の仕切り５８で２室に分割されたバネ室５４が設けられ、それぞれに板バネ５６が挿設されている。すなわち、軸受内壁４８はバネ室５４間の仕切り５８により保持部材ケース外壁５２に接続している。
【００２３】
軸受内壁４８には仕切り５８と直交する位置に軸方向を長手とする貫通長溝６０が形成されて、嵌挿された小径円柱からなる係止ロッド６２を案内している。係止ロッド（ローラ）６２は板バネ５６によって位置保持部材１２の外周５０に圧接するように付勢されており、板バネ５６の両端部６４は仕切り５８に形成した孤状部５９と保持部材ケース外壁内面の突起５３とによって変形が規制を受け、板バネ５６の中央部が係止ロッド６２に当接して付勢力を与える。一方、位置保持部材１２の外周側面５０で軸方向に対向する２箇所に係止ロッド６２の外形と同形の係止溝６４が、係止ロッド小径円柱の半径より僅かに少ない深さで形成される。
【００２４】
図５は、図２の位置保持装置１０の部分を説明のために拡大図示したもので、固定台座１に対して図５（ａ）の位置にある位置保持部材１２では、捩じりコイルバネ４４が強制的に畜勢され摺接部材３６は固定台座１に圧接されている。また、固定台座１に対して図５（ｂ）の位置にある位置保持部材１２では、回動部材４２の旋回で捩じりコイルバネ４４の付勢力が解放され、残留する付勢力で摺接部材３６と固定台座１との当接が維持され、位置保持装置１０を所定の保持位置に支持する。図５（ａ）の位置にある位置保持部材１２が図５（ｂ）の位置まで回動されて係止溝６４が係止ロッド６２の位置に整合すると、係止ロッド６２は板バネ５６の付勢力により係止溝６４に陥入し、位置保持部材１２のさらなる回動を阻止する。
【００２５】
しかしながら、係止溝６４の深さが係止ロッド６２を形成する小径円柱の半径より少ないから、板バネ５６の付勢力を超える大きな回動力を作用させると、係止ロッド６２は強制的に係止溝６４から押出され、係止は解除される。
【００２６】
このようにして、係止溝位置に固定ロッドを埋設して、位置保持部材の外周から突出させた固定ロッドを係止ロッドに乗り越えさせることによって逆行を阻止し、位置保持手段としていた従来の構成を簡略化することができる。
【００２７】
図６は緩衝作用を機能させていない状態にあるダンパー部材１４の内部構造の図示で、固定台座１に対しては、図５（ｂ）に示した位置保持部材１２の位置に対応する。２個のベーン６５を対称に突出させたローター６８は回動軸の平板状部分３０に外挿されて固定され、ダンパーケース２２に嵌装されて回動可能に支持されている。ダンパーケース２２は、内室中央に突出する仕切り７０で２室に分割されたオイル室７２を備え、仕切り７０の内側端面７６にローターの胴部７４が摺接し、ベーン６５の先端面がオイル室７０の内面７３に摺接して、ローター６８は円滑な旋回を行うことができる。
【００２８】
保持部材ケース２０と連通するローター６８のボス部６９および保持部材ケース２０とダンパーケース２２との接合部にはＯ−リング７８，７９を設置して、オイル室７２に充填されたオイルが漏洩するのを防止している（図１参照）。図６または図８において、２３はネジ２１のネジ孔を示す。
【００２９】
それぞれのベーン６５の先端部分には、幅の両端部６７を残し中央部分を凹部とする角溝８０が形成され、ベーン６５で仕切られた一つのオイル室７２のＡ部とＢ部を連通する開口部となっている。角溝８０には可動バルブ８２が回動方向および半径方向には自在に移動できるように嵌装されている。緩衝作用をする旋回方向に面した可動バルブ８２の受圧面８４は、外周から内側に向けてベーン前面６６に近接するような傾斜が僅かにもたせてあり、旋回によってオイルから受ける圧力で受圧面８４に外向きの分力が発生するようにしてある。
【００３０】
一方、可動バルブの受圧面８４の反対側には、ベーン６５の角溝８０の両側の内壁面それぞれに摺接する２本の脚部８６が形成され、この脚部８６の先端に設けた外向きの突起８８を角溝８０の両端部６７に掛止して、合成樹脂で成形した可動バルブ８２をスナップ結合している（図７または図９参照）。
【００３１】
図７は緩衝状態にない可動バルブ８２を図示したもので、角溝８０は開成されており、ベーン６５の回動方向（図中矢印Ｃ）の前方Ａ部にあるオイル室７２のオイルは、角溝８０を通ってベーン６５の後方Ｂ部に流れるので、ローター６８は殆ど抵抗を受けることなく回動することができる。
【００３２】
図８は、緩衝作用状態にあるダンパー部材１４の図示で、固定台座１に対しては、図５（ａ）に示した位置保持部材１２の位置に対応する。このときは、可動バルブ８２の矢印ＣＣ方向の旋回により受圧面８４がオイルの圧力を受けて、受圧面８４の後面はベーン６５の前面６６に密着して角溝８０を閉成する。さらに受圧面８４の傾斜によって生じる外向きの分力が可動バルブ８２に作用して、可動バルブ８２の摺接面８３はオイル室７２の内面７３に圧接される。
【００３３】
このため、オイル室のＢ部からＡ部への円滑な流路は絶たれ、流れは制限されて緩衝作用を果たしダンパー部材１４が機能状態となる。図９は緩衝作用状態にある可動バルブ８２が角溝８０を閉成している状態を図示したものである。
【００３４】
位置保持部材の実施の形態としては、板バネ５６と係止ロッド６２に換えて圧縮コイルバネでスチールボールを、大径円柱の位置保持部材外周に設けたスチールボールより僅かに小径の凹部または小孔に陥入させる構造が公知である。
【００３５】
しかしながら、圧縮コイルバネを外周に設ける構成は、外側に空間を必要とするので、コンパクトな構成には不利である。また、大径円柱内に圧縮コイルバネとスチールボールを埋設して外壁の摺接面に設けたスチールボールより僅かに小径の凹部または小孔に陥入させる構造は組立てが容易でない。
【００３６】
また、ダンパー部材の上記した以外の実施の形態としては、一方向クラッチと高粘度のグリスとを併用して、一方向クラッチによりグリスの粘性抵抗が作用する方向と粘性抵抗の作用しない方向を構成するようにしたものが使用できる。
【００３７】
【実施例】
以下に、本発明に係わる回動部材の位置保持装置を装着した便器を図１〜図３を参照しつつ、図１０〜図１２に基づいて説明する。上記した回動部材の位置保持装置１０に関しては同一部材を同一符号で示してある。
【００３８】
図１０は本発明に係わる回動部材の位置保持装置１０を装着した便器１００の一実施例を示す平面図で、温水洗浄便座ユニット１０１は便器１０２の後部にヒンジ接続部材１０３により開閉自在に装着されている。１０４はロータンクで便器１０２の後部に隣接して固設されている。１１１は洗浄ノズル、１１２は操作パネルである。位置保持装置１０は移動部材である温水洗浄便座ユニット１０１の本体ケーシング１０５に内設される。
【００３９】
このとき、当接部３４は固定台座となる便器１０２の後部外壁上面１０６に当接させて置かれる。当接部３４は十分な長さに形成されているので、メーカーによって異なる便器１０２周縁の形状や大きさに対応できる。
【００４０】
そこで温水洗浄便座ユニット１０１を通常の状態で便器１０２上に載置すると、当接部３４は便器後部周縁の外壁上面１０６との当接により押圧され、バネケース１８に内設され付勢部材として機能する捩じりコイルバネ４４の付勢力に抗して温水洗浄便座ユニット１０１の本体ケーシング１０５の内側に押入されて収納状態となる（図１１参照）。
【００４１】
図１２に示されるように位置保持装置１０を装着した温水洗浄便座ユニット１０１の本体ケーシング１０５を斜め上方に傾けると、位置保持装置１０は温水洗浄便座ユニット１０１とともに上方に移動するが、捩じりコイルバネ４４の反発力により回動部材４２は旋回されて当接部３４は本体ケーシング１０５の内蔵位置を離れて、便器ボウル外壁上面１０６との当接状態を維持し続ける。
【００４２】
温水洗浄便座ユニット１０１は重量の殆どがヒンジ接続部材１０３に支持されており、温水洗浄便座ユニット１０１を通常の位置から上方に傾斜させるとき捩じりコイルバネ４４の付勢力による回動軸２４の旋回方向は、ベーン６５の角溝８０によりオイルの流動経路は開成されて可動バルブ８２にはオイル抵抗が殆ど作用しない、ダンパー部材１４の緩衝作用が機能しない方向であり、さらに回動軸２４を旋回させる捩じりコイルバネ４４の反発力が補助的に作用するので、温水洗浄便座ユニット１０１は労せずに軽い力で傾斜させることができる。
【００４３】
温水洗浄便座ユニット１０１の傾斜により、回動軸２４が所定の角度まで旋回すると、板バネ５６の弾性力によって常に位置保持部材１２の外周側面５０に押圧されている係止ロッド６２が位置保持部材１２の外周側面５０に設けた係止溝６４内に強制的に押入されて係合を果たし、その旋回角度位置で温水洗浄便座ユニット１０１は傾斜させたまま自立保持させることができる。
【００４４】
そこで、温水洗浄便座ユニット１０１と便器１０２の後部上面１０７との間には空間が形成され、便座１０９および便座蓋１１０をヒンジ１１４により上方に回動させることによって（図中２点鎖線参照）、通常では手が届かない便器１００内、特に便器ボウル後部上面１０７の清掃を容易に行うことができる。
【００４５】
温水洗浄便座ユニット１０１を通常の位置に戻すときは、ユニット便座蓋１１０の前部１０８に上から所要の荷重をかける。レバー比の関係で係止溝６４には回転モーメントによる大きな作用力が働いて、係止溝６４内に係止ロッド６２を押入していた板バネ５６の付勢力に抗して係止ロッド６２を係止溝６４から外へ押出すことができ、係合は容易に解除される。そこで、温水洗浄便座ユニット１０１は自重で回動軸２４を旋回させ簡単に通常の位置に復帰できる。
【００４６】
このとき、回動軸２４はダンパー部材１４を緩衝機能が働く方向に旋回するので、可動バルブ８２はベーン６５の角溝８０を閉成するとともにオイル室７２の内面に圧接されながら回動する。このため、制限された僅かなオイルの流動によって温水洗浄便座ユニット１０１の自重の殆どはオイルの加圧で保持され、この旋回に対しては大きな抵抗力となる。
【００４７】
また捩じりコイルバネ４４も反発力に抗して畜勢方向に強制されるので、温水洗浄便座ユニット１０１の下降方向の回動に対して抵抗力を発生する。すなわち、温水洗浄便座ユニット１０１はダンパー部材１４の緩衝作用と捩じりコイルバネ４４との畜勢作用によって緩やかな安全速度で下降することができる。
【００４８】
上記したように機能する本発明に係わる回動部材の位置保持装置１０は、温水洗浄便座ユニット以外に、通常の便器の便座のヒンジ部分に適用することもできる。また、家具、ピアノ、自動車トランクなどの重い蓋のヒンジ部分やコピー機などの点検用開閉部、ドアクローザ等に応用できる。
【００４９】
図１３は、図４の実施例の回動軸２４を貫通にした位置保持装置であって、回動軸２４を第１支持腕部３２の軸受部と第２支持腕部３８の軸受部の２ヶ所で回り止め固定することにより、荷重を２ヶ所に分散できるため軸受け強度が強くなる。また、ユニットの両側に軸受けを設けたことにより、当接部３４の傾きを防止できる。回動軸２４を貫通にしたことにより、組立て易くなる利点もある。なお、図１３の実施例は図４の実施例に比べ、部品の作り易さから、ダンパー部材とコイルバネ部を逆に配置している。その他の部材は、前記した実施例と全く同様であるから同一の符号で示してある。
【００５０】
【発明の効果】
以上説明したように、本発明に係わる回動部材の位置保持装置およびこの装置を装着した便器によれば、温水洗浄便座ユニット本体が設定角度の傾斜位置のまま保持することができる。２本の支持腕部を設けたので、当接部の長さが十分な強度で長く形成することができ、例えば、当接部の長さを８０ｍｍにすると、各メーカーの全ての便器に対応させることができる。また、当接部を合成樹脂で形成したので、便器の損傷を防止することができる。
【００５１】
さらに、軽く押圧するだけで保持機構を解除することができ、面倒な解除操作を必要としないから、誰でも容易に取り扱うことができる。また、温水洗浄便座ユニットは保持機構を解除するとダンパー部材の緩衝作用に支持されながら緩慢な速度で下降するから、万一重量のある温水洗浄便座ユニットと便器の間に指を挟んでも危険はない。
【００５２】
その上、付勢部材、位置保持部材およびダンパー部材が回動軸に直列配置され、しかも位置保持部材は側面に設けた係止溝に係止ロッドを係合させるようにしたのでコンパクトな構成が可能となり、温水洗浄便座ユニット本体内に外部から見えないように容易に装着することができ、位置保持部材は温水洗浄便座ユニットとともに持ち上がるので清掃作業の邪魔になることはない。
【００５３】
また、可動バルブの受圧面に傾斜をもたせたことにより、可動バルブは加圧でオイル室内面に圧接されるから、成形部品に寸法変動があっても緩衝効果の変動は少なくなる。従って、製品の均一化が容易となり、しかも強力な緩衝効果を得ることができる。
【図面の簡単な説明】
【図１】本発明に係わる回動部材の位置保持装置の一実施例の平面図である。
【図２】図１の２−２線に沿った断面図である。
【図３】図１の３−３線に沿った断面図である。
【図４】本発明に係わる回動部材の位置保持装置で別の位置保持部材を備えた実施例の平面図である。
【図５】本発明に係わる回動部材の位置保持装置において位置保持部材の作用説明図で（ａ）は回動部材が自由な状態、（ｂ）は回動部材が保持位置に拘束された状態を示す。
【図６】本発明に係わる回動部材の位置保持装置において緩衝機能していないダンパー部材の作用説明図である。
【図７】本発明に係わる回動部材の位置保持装置において緩衝機能していない可動バルブの作動説明図である。
【図８】本発明に係わる回動部材の位置保持装置において緩衝機能状態にあるダンパー部材の作用説明図である。
【図９】本発明に係わる回動部材の位置保持装置において緩衝機能状態にある可動バルブの作動説明図である。
【図１０】本発明に係わる回動部材の位置保持装置を装着した便器の平面図である。
【図１１】本発明に係わる回動部材の位置保持装置を装着した便器で下降位置にある温水洗浄便座ユニットを一部断面で示す側面図である。
【図１２】本発明に係わる回動部材の位置保持装置を装着した便器で傾斜状態に保持した温水洗浄便座ユニットを一部断面で示す側面図である。
【図１３】本発明に係わる回動部材の位置保持装置の他の実施例の平面図である。
【符号の説明】
１２  位置保持部材
１４  ダンパー部材
１６  本体ハウジング
２４  回動軸
３４  当接部
４０  固定軸
４２  回動部材
４４  捩じりコイルバネ
５６  板バネ
６０  貫通長溝
６２  係止ロッド（ローラ）
６４  係止溝
６５  ベーン
６８  ローター
７２  オイル室
８２  可動バルブ
１０１  温水洗浄便座ユニット
１０２  便器
１０３  ヒンジ接続部材
【図１】
0003560789.tif 000002
【図２】
0003560789.tif 000003
【図３】
0003560789.tif 000004
【図４】
0003560789.tif 000005
【図５】
0003560789.tif 000006
【図６】
0003560789.tif 000007
【図７】
0003560789.tif 000008
【図８】
0003560789.tif 000009
【図９】
0003560789.tif 000010
【図１０】
0003560789.tif 000011
【図１１】
0003560789.tif 000012
【図１２】
0003560789.tif 000013
【図１３】
0003560789.tif 000014